【事件の表示】
　特許第３１１２６６７号「産婦人科用分娩台」の請求項１乃至１３に係る特許に対する特許異議の申立てについて、次のとおり決定する。
【結　論】
　訂正を認める。
　特許第３１１２６６７号の請求項１乃至１３に係る特許を維持する。
【理　由】
１．手続の経緯
　本件特許第３１１２６６７号は、平成１１年３月１５日（優先権主張日平成１０年６月２日）の出願に係り、平成１２年９月２２日に設定登録がなされ、その後、小林初江より特許異議の申立てがなされ、取消しの理由が通知され、その指定期間内である平成１３年８月９日に訂正請求がなされたものである。
　
２．訂正の適否についての判断
(1) 訂正の内容
　ア．訂正事項ａ
　　特許請求の範囲の請求項１における「変位可能な患者の踵部分を受ける長手方向に沿って２分割された支脚部と、該支脚部を開閉することにより患者の股を開脚、閉脚させる支脚開閉手段」を「変位可能であると共に長手方向に沿って２分割に形成され、かつ、前記屈曲状態において患者の踵部分を受ける踵受けを有する支脚器と、該支脚器を開閉することにより患者の股を開脚、閉脚させる支脚器開閉手段」と訂正する。
　イ．訂正事項ｂ
　　同請求項２における「前記座部から患者の股および踵を受け、かつ、水平およびくの字状に屈曲して患者の膝部分を水平および屈折させる股受け部と踵受け部とからなり、さらに、」を「前記座部に対して水平伏態と屈曲状態とに変位可能であると共に長手方向に沿って２分割に形成され、また、患者の股および踵を受け、かつ、水平およびくの字状に屈曲して患者の膝部分を水平および屈折させる股受け部と前記屈曲状態において患者の踵部分を受ける踵受け部とを有し、また、」と訂正する。
　ウ．訂正事項ｃ
　　同請求項３、６、７、８、１０及び１１における「請求項１および２記載の」を「請求項１または２記載の」と訂正する。
　エ．訂正事項ｄ
　　同請求項４における「請求項１記載の」を「請求項２記載の」と訂正する。
　オ．訂正事項ｅ
　　同請求項１１における「拡開され位置」を「拡開された位置」と訂正する。
　カ．訂正事項ｆ
　　明細書の段落【００１１】の冒頭に「【課題を解決するための手段】」を挿入すると共に、「変位可能な患者の踵部分を受ける長手方向に沿って２分割された支脚部と、該支脚部を開閉することにより患者の股を開脚、閉脚させる支脚開閉手段」を「変位可能であると共に長手方向に沿って２分割に形成され、かつ、前記屈曲状態において患者の踵部分を受ける踵受けを有する支脚器と、該支脚器を開閉することにより患者の股を開脚、閉脚させる支脚器開閉手段」と訂正する。
　キ．訂正事項ｇ
　　同段落【００１２】中の「前記座部から患者の股および踵を受け、かつ、水平およびくの字状に屈曲して患者の膝部分を水平および屈折させる股受け部と踵受け部とからなり、さらに、」を「前記座部に対して水平伏態と屈曲状態とに変位可能であると共に長手方向に沿って２分割に形成され、また、患者の股および踵を受け、かつ、水平およびくの字状に屈曲して患者の膝部分を水平および屈折させる股受け部と前記屈曲状態において患者の踵部分を受ける踵受け部とを有し、また、」と訂正する。
　ク．訂正事項ｈ
　　同段落【００１８】中の「拡開され位置」を「拡開された位置」と訂正する。
(2) 訂正の目的の適否、新規事項の有無及び拡張・変更の存否
　上記訂正事項ａは、「支脚器」の構成を明細書に記載された実施例のとおりに特定すると共に、「支脚器」及び「支脚器開閉手段」について、用語の統一を図ったものであるから、特許請求の範囲の減縮及び明りょうでない記載の釈明を目的とした明細書の訂正に該当する。
　また、上記訂正事項ｂは、「股受け部」及び「踵受け部」の構成を明細書に記載された実施例のとおりに特定するものであるから、特許請求の範囲の減縮を目的とした明細書の訂正に該当する。
　また、上記訂正事項ｃ、ｄ、ｅ及びｈは、誤記の訂正を目的とした明細書の訂正に該当する。
　さらに、上記訂正事項ｆ及びｇは、上記訂正事項ａ及びｂとの整合を図るものであるから、明りょうでない記載の釈明を目的とした明細書の訂正に該当する。
　そして、上記いずれの訂正事項も、新規事項の追加に該当せず、看護婦の労力を軽減する産婦人科用分娩台の提供という課題に変更を及ぼすものでもないから、実質上特許請求の範囲を拡張又は変更するものでもない。
(3) むすび
　以上のとおりであるから、上記訂正は、特許法第１２０条の４第２項及び同条第３項において準用する同法第１２６条第２項及び第３項の規定に適合するので、当該訂正を認める。
　
３．特許異議の申立てについての判断
(1) 申立ての概要
　異議申立人小林初江は、証拠として甲第１乃至５号証を提出し、以下の理由１及び２によって本件の請求項１乃至１３に係る発明についての特許は取り消されるべきものであると主張している。
ｉ）理由１
　本件の請求項１乃至７及び請求項９乃至１３に係る発明は、甲第１乃至５号証に記載された発明や周知技術等に基づいて当業者が容易に発明をすることができたものであり、特許法第２９条第２項の規定により特許を受けることができないものである。
ii）理由２
　本件の請求項８に係る発明は、明細書の発明の詳細な説明に記載したものではないので、本件請求項８に係る特許は特許法第３６条第６項第１号に規定する要件を満たしていない特許出願に対してなされたものである。
(2) 本件発明
　上記２．で示したように上記訂正が認められるから、本件の請求項１乃至１３に係る発明（以下、「本件発明１」乃至「本件発明１３」という。）は、上記訂正請求に係る訂正明細書の特許請求の範囲の請求項１乃至１３に記載された事項により特定される次のとおりのものである。
「【請求項１】　患者の腰部を受ける座部と、該座部に対して起伏する背凭れ部と、前記座部に対して水平状態と屈曲状態とに変位可能であると共に長手方向に沿って２分割に形成され、かつ、前記屈曲状態において患者の踵部分を受ける踵受けを有する支脚器と、該支脚器を開閉することにより患者の股を開脚、閉脚させる支脚器開閉手段とから構成したことを特徴とする産婦人科用分娩台。
　【請求項２】　患者の腰部を受ける座部と、該座部に対して起伏する背凭れ部と、前記座部に対して水平伏態と屈曲状態とに変位可能であると共に長手方向に沿って２分割に形成され、また、患者の股および踵を受け、かつ、水平およびくの字状に屈曲して患者の膝部分を水平および屈折させる股受け部と前記屈曲状態において患者の踵部分を受ける踵受け部とを有し、また、前記座部に対してスライド可能に形成された支脚器と、該支脚器における前記股受け部を開脚および閉脚させる支脚器開閉手段とから構成したことを特徴とする産婦人科用分娩台。
　【請求項３】　前記支脚器は患者の股および踵を受け、かつ、水平およびくの字状に屈曲して患者の膝部分を水平および屈曲させる股受け部と踵受け部とからなることを特徴とする請求項１または２記載の産婦人科用分娩台。
　【請求項４】　前記支脚器は、前記股受け部と踵受け部とに回転自在に取付けられ、かつ、互いに噛合する第１、第２のギアと、踵受け部側のギアに常時噛合するストッパ用ギアと、該ストッパ用ギアと前記第２ギアとの噛合を解除させるための解除レバーと、前記股受け部の前記座部側に近接した位置に一端が軸支され、他端が前記踵受け側に近接した位置の基板に軸支されたリンクとから構成したことを特徴とする請求項２記載の産婦人科用分娩台。
　【請求項５】　前記支脚器は、前記股受け部と踵受け部とに回転自在に取付けられ、かつ、互いに噛合する第１、第２のギアと、ハンドル操作によって伸長し前記踵受け部の先端側を押し上げるアクチュエータからなる伸長手段とから構成したことを特徴とする請求項２記載の産婦人科用分娩台。
　【請求項６】　前記支脚器開閉手段は、前記座部の裏面側に固定されたモータと、該モータの出力軸の回転を減速するギア列と、該ギア列の出力軸の回転運動を前記支脚器の開閉運動に変換し、かつ、前記支脚器を患者の股関節を中心として開閉するように構成された股アームとから構成したことを特徴とする請求項１または２記載の産婦人科用分娩台。
　【請求項７】　前記座部の前方を起伏させる座部起伏手段を設けたことを特徴とする請求項１または２記載の産婦人科用分娩台。
　【請求項８】　前記座部を上下方向に昇降させる昇降手段を設けたことを特徴とする請求項１または２記載の産婦人科用分娩台。
　【請求項９】　前記支脚器における前記股受け部内に取付けられグリップが出入自在に形成された怒責グリップを設けたことを特徴とする請求項２記載の産婦人科用分娩台。
　【請求項１０】　前記背凭れ部の上方背面側に回動自在に軸支され、不使用時には背凭れ部の側面に位置し、使用時には背凭れ部の上面側に回動できるようにした頭上怒責杆を設けたことを特徴とする請求項１または２記載の産婦人科用分娩台。
　【請求項１１】　前記座部の下面に位置し必要に応じて前記支脚器が前記支脚器開閉手段によつて拡開された位置に引き出し可能にした新生児受台を設けたことを特徴とする請求項１または２記載の産婦人科用分娩台。
　【請求項１２】　前記怒責グリップは、略Ｕ字状に屈曲されたグリップと、該グリップの一端を前記股受け部の裏面においてガイドする軸受と、前記グリップの他端を股受け部の裏面において解除レバーの操作によってロックおよびフリーな状態とするロック手段とから構成したことを特徴とする請求項９記載の産婦人科用分娩台。
　【請求項１３】　前記頭上怒責杆は、略Ｕ字状に形成されたグリップと、該グリップの一端を前記背凭れ部の表面において少なくとも９０度の回転位置の０度と９０度の位置でロックが可能なように２つの軸受けで軸支され、かつ、前記軸受けの間隔を調整可能な構成としたことを特徴とする請求項１０記載の産婦人科用分娩台。」
(3) 異議申立人の提出した証拠及びその開示事項
　甲第１号証：実願昭５９−８３５７３号（実開昭６０−１９５０１８号）
　　　　　　　のマイクロフィルム
　甲第２号証：特開平９−７５４０８号公報
　甲第３号証：実公昭６１−３９４６３号公報
　甲第４号証：特公昭５９−３０４２４号公報
　甲第５号証：特開昭６１−１１９２５７号公報　
　3-1.甲第１号証には、以下の事項が、図面とともに示されている。
　3-1-1.「上半身を支える台板と脚部を支える支脚器とを備え、該支脚器は上腿部を支える基部とこれと回動可能に枢着された下腿部を支える先端部からなり、かつ前記基部を前記台板の一端に三次元的に回動可能に支承したことを特徴とする医療台」（実用新案登録請求の範囲）
　3-1-2.「本考案は分娩時や前立腺等の手術、治療又は検診用に便利な医療台に関するものである。」（明細書第１頁第１１〜１２行）
　3-1-3.「本考案は、……（中略）……台板に敷設される前板と脚部の支脚器を兼用たらしめ、さらに被手術者、被治療者、又は被検診者の体位を手術、治療、検診に最適の状態に容易に保持できる医療台を提供しようとするものである。」（同書第２頁第１３〜１７行）
　3-1-4.「第１図及び第２図において、基台１に保持された台板２に連なる人体３の脚部４を載置する位置（従来の前板部）に、脚部４を支える一対の支脚器６を枢着保持し、これら支脚器６は上腿部を支える基部１０と下腿部を支える先端部１１からなり、基部１０を台板２の一端に支承し、水平軸の回りに回動可能たらしめ、また台板２に垂直な垂直軸の回りに回動可能で、さらに前記水平軸と垂直軸に対して直角な長手方向軸の回りに回動可能になっている。」（同書第３頁第７〜１６行）
　3-1-5.「このように、簡単な操作によって、脚部４を上昇させて開脚し、さらに外側へ傾斜させることによって、手術、検診に最適な体位を保持させることができる。」（同書第６頁第１４〜１７行）
　3-1-6.「なお、前記実施例では台板２を臥床板とした医療テーブルの例について述べたが、椅子形式の台板を有する医療台にも本考案を適用しうるものであることは勿論である。」（同書第６頁第１８行〜第７頁第１行）
　3-1-7.また、第２図には、台板２上に上向きに寝かされた被治療者等の脚部を支える支脚器６が台板２に対して水平状態と屈曲状態とに変位し、屈曲状態においては被治療者等の上腿部を支える基部と下腿部を支える先端部の間の屈曲位置で被治療者等の膝を押し上げている態様が示されている。　
　3-2.甲第２号証には、以下の事項が図面とともに記載されている。
　3-2-1.「本発明の医療台は、ベッドと分娩台とを兼用することを目的とし、患者の腰部を保持し得る座板と、この座板に取り付けられた保持部材に設けられた平行な２つの回動軸を中心としてそれぞれ軸支される左側及び右側の支脚器と、上記左側及び右側の支脚器を相互に広がる方向に回動させる第１の駆動手段とを備えたものである。」（【発明の詳細な説明】の項の段落【０００４】【課題を解決するための手段】）
　3-2-2.「さらに、左側及び右側の支脚器７、８は、患者の左右の踵をそれぞれ保持する左側及び右側の踵受け９、１０、患者の左右の大腿部をそれぞれ保持する左側及び右側の股受け１１、１２並びに左側及び右側の股受けのそれぞれの近傍に患者が左右の手でつかむ左側及び右側のグリップ１３、１４とをそれぞれ一体に備えている。」（同段落【００１３】）
　3-2-3.「図２は、本発明の医療台１に脚載せ１７を取り付けた状態を示す斜視図である。脚載せ１７は、座板３の延長部として、座板３の前方に配置されている汚物ロート１９の上側に着脱自在に構成されている。従って患者は、この脚載せ１７に両脚を載せて、楽な姿勢で分娩を待つことができる。」（同段落【００１４】）
　3-2-4.「図３は、本発明の医療台１に脚載せ１７を取り付け、背もたれ１５及び座板３を水平にした状態を示す側面図である。」（同段落【００１５】）
　3-2-5.「背もたれ１５は、下方部分が医療台１の基台２９に軸支され、第４の駆動手段３３によって起伏させられるようになっている。」（同段落【００１８】）
　3-3.甲第３号証には、以下の事項が図面とともに記載されている。
　3-3-1.「主フレームの上端左右に突設固定したアームに横軸を装架すると共に該横軸に後方へ傾倒可能な枕部を軸支すると共に背もたれ部の上端を軸支させ、背もたれ部の下端は座部の一端にリンクを介して連結し、さらに座部の他端側はアームを介してレッグ部と連結し、また一端が主フレームに回動自在に枢着された平行リンクの他端を座部の下面に設けた支壁に枢着し、さらにまた背もたれ部の下端とレッグ部の上端とを連杆をもって連結して適宜駆動源により平行リンクを上昇させることにより、座部を水平上昇させると共に背もたれ部、レッグ部の全てを水平位置まで変位できるようにしたことを特徴とする産科用陣痛台。」（実用新案登録請求の範囲）
　3-3-2.「本考案は、……（中略）……水平のベッド状態だけではなく、立座位の状態でも待機でき、又腹部を圧迫することがなく、更に背もたれを傾動させると同時に座部、レッグ部を前方に押し上げて不安感、恐怖感を与えることなく水平状態への移行ができ、陣痛時の精神的、肉体的苦痛をやわらげることを目的とするものである。」（第２欄第９〜１５行）
　3-3-3.「座部１０の前部にはアーム１５を有する軸１６を軸支させ、アーム１５には前端に足かけ１７を設けたレッグ部１８を固着する。」（第３欄第１６〜１８行）
　3-3-4.また、第４図には、レッグ部１８が上昇して座部１０と水平状態になったとき妊婦の踵が足かけ１７に保持されている態様が破線で示されている。
　3-4.甲第４号証には、以下の事項が図面とともに記載されている。
　3-4-1.「連結軸２，３を介して折曲げ自在に連結した複数の形成部材４，５，６から成るベッド１と、このベッド１の側方に位置し、産婦の引付け操作によって移動する操作杆８と、操作杆８の作動に伴なって作動し、ベッド１の中央部分を下方に引下げて、産婦の背中が当接するベッド形成部材５と産婦の腰部が当接するベッド形成部材６とを側面視Ｖ字形に折曲させるシリンダー１４と、このシリンダー１４によるベッド１の引下げ折曲に伴なって基端を回動され、産婦の足を腹部方向に折曲させる足掛台２９と、前記産婦の引付け操作による操作杆８の移動に伴なって産婦の腹部を押圧する腹帯２０とから成る分娩台。」（特許請求の範囲）
　3-4-2.「２７，２８は足掛台２９の支持杆で、適宜の間隔で平行に位置する二本の組から成りベッド１の両側に形成されており、……（中略）……４０，４１は支持杆２７，２８の他端方向に固定螺子４２，４３により摺動固定自在に固定した固定筒で、固定杆４４を各々側方に固定突出し、この固定杆４４の他端方向には固定螺子４５，４６により摺動固定自在に固定受杆４７を固定し、この固定受杆４７の上面には端面半円状の脚受部４８を、固定螺子４９，５０で摺動固定自在に固定された支持部５３，５４に固定し、又固定受杆４７の外端部方向には産婦９の足５５を突当てる突当受体５６を固定螺子５７で摺動固定自在に固定している。」（第３欄第４０行〜第４欄第１９行）
　3-4-3.「産婦９に陣痛の来た時、……（中略）……ベッド１を下方に引下げる。このベッド１の引下げに伴ないベッドの形成部材４，５，６は連結軸２，３部分から折曲し、ベッド１は第２図に示す如く全体として弧状に湾曲する。……（中略）……産婦９の足方向の形成部材６は足方向の外端部が上方となるよう傾斜する。……（中略）……形成部材６での押圧により……（中略）……支持杆２７，２８を第２図に示す如く立上げ、産婦９の足を高くして開脚する。」（第４欄第３１行〜第５欄第１５行）
　3-4-4.また、第１，２図には、突当受体５６が産婦９の足５５に突き当てられ、その踵を保持している態様が示されている。
　3-5.甲第５号証には、以下の事項が図面とともに記載されている。
　3-5-1.「妊婦を開脚状態で安座若しくは仰臥させる為の座位分娩台（Ａ）であって、基台（１）上に背板（２）及び座板（３）が連設され、該座板（３）が、中央に臀部受（３１）と、該臀部受（３１）の両側に上記分娩台（Ａ）の体心（ｌ）に対し拡開状に延びその先端部に前記妊婦の大腿部を内側より外方に開脚保持する為の大腿部内側抑止片（３２１）を有する一対の大腿受部（３２），（３２）と、該大腿受部（３２），（３２）と上記臀部受（３１）とにより形成された開口部（３３）とを含み、上記大腿受部（３２），（３２）が臀部受（３１）に対し駆動手段（４）によって上記開口部（３３）を拡開若しくは縮閉する如く回動自在に保持されていることを特徴とする座位分娩台。」（特許請求の範囲１）
　3-5-2.「座板３の両側には前方斜めに突設されたブラケット６，６を有し、該ブラケット６，６の先端には妊婦の足裏を保持する為の支脚部６２，６２が調節部杆６１，６１を介して取着され」（第２頁右下欄第１６〜２０行）
　3-5-3.「座板３の斜め下方にはトレー７が装備されているが、該トレー７は基台１に形成された収納ポケット７１（第５図参照）に前後に抜き差し自在に収納され、分娩時の初生児や羊水その他の排出物を受容するのに供せられる。」（第３頁左上欄第４〜８行）
　3-5-4.「大腿受部３２，３２は臀部受３１に対し、開口部３３を拡開若しくは縮閉する如く座板３上の妊婦の仮想股関節ａを概ね中心として回動自在に保持され」（第３頁右上欄第１０〜１３行）
　3-5-5.「上記座位分娩台Ａ上で分娩するにおいては、座板３上に妊婦を開脚状態で安座させ、……（中略）……妊婦の足裏を支脚部６２，６２に載置し、調節杆６１，６１を調整し妊婦に無理のない姿勢をとらせる。」（第３頁右上欄第１８行〜同頁左下欄第７行）
(4) 当審の判断
ｉ）理由１について
　本件発明１乃至１３と上記甲第１乃至５号証に記載の発明とを比較すると、
上記甲第１乃至５号証に記載の発明には、本件発明１乃至１３を共通して特定する事項である、「座部に対して水平状態と屈曲状態とに変位可能であると共に長手方向に沿って２分割に形成され」た「支脚器」が「屈曲状態において患者の踵部分を受ける踵受け（部）」を有する構成を備えていない。
　そして、本件発明１乃至１３は、上記の構成を有することにより、「支脚器がベッドの状態となることから、患者の導入が容易に行えると共に、患者に対して従来のような恐怖感を与えることがなく、しかも、患者導入後に解除レバーを操作して支脚器の踵受け部を押し上げることにより患者の足部分を膝から折曲することができ」るという明細書に記載の効果を奏するものと認められる。
　確かに、甲第１号証には、座部に対して水平状態と屈曲状態とに変位可能であると共に長手方向に沿って２分割に形成された支脚器を有する産婦人科用分娩台が記載されてはいるが、この支脚器は、上腿部を支える基部と下腿部を支える先端部からなるものであり、屈曲状態に変位しても、患者の踵部分を受ける構成とはならないものである。
　また、甲第２乃至５号証には、分娩台等に患者の踵部分を受ける部材を設けたものが記載されているが、この踵部分を受ける部材は、はじめから踵部分を受ける形状に固定されているものであり、他の形態をとりうることを開示あるいは示唆するものではない。
　したがって、本件発明１乃至１３は、甲第１乃至５号証に記載された発明に基いて当業者が容易に発明をすることができたものということはできない。
ii）理由２について
　異議申立人は、本件請求項８に係る発明は、座部を上下方向に昇降させる昇降手段を設けたことを特徴とするものであるが、本件特許明細書の発明の詳細な説明の欄のどこにも昇降手段についての記載がないので、特許法第３６条第６項第１号に規定する要件を満たしていない旨を主張している。
　そこで検討すると、本件明細書の【発明の詳細な説明】の項の段落【００２０】【発明の実施の形態】には、「本発明に係る産婦人科用分娩台の第１の実施の形態を図１〜図１１と共に説明する。……（中略）……図において、１は床面に設置される基台、２は該基台１に一端が取り付けられ油圧等の駆動手段によって傾動する傾動部材、３は該傾動部材２の他端に取付けられた支持台にして、該支持台３に背凭れ４、座部５および支脚器６が取付けられている。」と記載されている。上記の記載によれば、油圧等の駆動手段により傾動部材２を傾動する時、一端を基台１に取り付けられた傾動部材２の他端は上昇し、傾動部材２をもとの水平状態に戻せば該他端は下降するものであり、上記の該他端の上昇、下降に伴って、該他端に取付けられた支持台３および該支持台に取付けられた座部５も上下方向に昇降することは明らかである。
　すなわち、上記の記載は、実質的に「座部５を上下方向に昇降させる昇降手段を設けた」ことについて説明しているものということができる。
　したがって、本件請求項８に係る発明は、発明の詳細な説明に記載されたものでないということはできない。
(5) むすび
　以上のとおりであるから、特許異議申立の理由及び証拠によっては、本件請求項１乃至１３に係る発明についての特許を取り消すことはできない。
　また、他に本件請求項１乃至１３に係る発明についての特許を取り消すべき理由を発見しない。
　よって、結論のとおり決定する。
【異議決定日】
平成１３年８月１４日（２００１．８．１４）
【訂正の要旨】
訂正の要旨
（１）訂正事項ａ
　特許請求の範囲の請求項１における「変位可能な患者の踵部分を受ける長手方向に沿って２分割された支脚部と、該支脚部を開閉することにより患者の股を開脚、閉脚させる支脚開閉手段」を「変位可能であると共に長手方向に沿って２分割に形成され、かつ、前記屈曲状態において患者の踵部分を受ける踵受けを有する支脚器と、該支脚器を開閉することにより患者の股を開脚、閉脚させる支脚器開閉手段」と訂正する。
（２）訂正事項ｂ
　同請求項２における「前記座部から患者の股および踵を受け、かつ、水平およびくの字状に屈曲して患者の膝部分を水平および屈折させる股受け部と踵受け部とからなり、さらに、」を「前記座部に対して水平伏態と屈曲状態とに変位可能であると共に長手方向に沿って２分割に形成され、また、患者の股および踵を受け、かつ、水平およびくの字状に屈曲して患者の膝部分を水平および屈折させる股受け部と前記屈曲状態において患者の踵部分を受ける踵受け部とを有し、また、」と訂正する。
（３）訂正事項ｃ
　同請求項３、６、７、８、１０及び１１における「請求項１および２記載の」を「請求項１または２記載の」と訂正する。
（４）訂正事項ｄ
　同請求項４における「請求項１記載の」を「請求項２記載の」と訂正する。
（５）訂正事項ｅ
　同請求項１１における「拡開され位置」を「拡開された位置」と訂正する。
（６）訂正事項ｆ
　明細書の段落【００１１】の冒頭に「【課題を解決するための手段】」を挿入すると共に、「変位可能な患者の踵部分を受ける長手方向に沿って２分割された支脚部と、該支脚部を開閉することにより患者の股を開脚、閉脚させる支脚開閉手段」を「変位可能であると共に長手方向に沿って２分割に形成され、かつ、前記屈曲状態において患者の踵部分を受ける踵受けを有する支脚器と、該支脚器を開閉することにより患者の股を開脚、閉脚させる支脚器開閉手段」と訂正する。
（７）訂正事項ｇ
　同段落【００１２】中の「前記座部から患者の股および踵を受け、かつ、水平およびくの字状に屈曲して患者の膝部分を水平および屈折させる股受け部と踵受け部とからなり、さらに、」を「前記座部に対して水平伏態と屈曲状態とに変位可能であると共に長手方向に沿って２分割に形成され、また、患者の股および踵を受け、かつ、水平およびくの字状に屈曲して愚者の膝部分を水平および屈折させる股受け部と前記屈曲状態において患者の踵部分を受ける踵受け部とを有し、また、」と訂正する。
（８）訂正事項ｈ
　同段落【００１８】中の「拡開され位置」を「拡開された位置」と訂正する。
（５４）【発明の名称】
産婦人科用分娩台
（５７）【特許請求の範囲】
　【請求項１】　患者の腰部を受ける座部と、該座部に対して起伏する背凭れ部と、前記座部に対して水平状態と屈曲状態とに変位可能
であると共に長手方向に沿って２分割に形成され、かつ、前記屈曲状態において患者の踵部分を受ける踵受けを有する支脚器と、該支脚器
　【請求項２】　患者の腰部を受ける座部と、該座部に対して起伏する背凭れ部と、前記座部
に対して水平状態と屈曲状態とに変位可能であると共に長手方向に沿って２分割に形成され、また、患者
前記屈曲状態において患者の踵部分を受ける踵受け部とを有し、また、
　【請求項３】　前記支脚器は患者の股および踵を受け、かつ、水平およびくの字状に屈曲して患者の膝部分を水平および屈曲させる股受け部と踵受け部とからなることを特徴とする請求項１
または
　【請求項４】　前記支脚器は、前記股受け部と踵受け部とに回転自在に取付けられ、かつ、互いに噛合する第１、第２のギアと、踵受け部側のギアに常時噛合するストッパ用ギアと、該ストッパ用ギアと前記第２ギアとの噛合を解除させるための解除レバーと、前記股受け部の前記座部側に近接した位置に一端が軸支され、他端が前記踵受け側に近接した位置の基板に軸支されたリンクとから構成したことを特徴とする請求
項２記
　【請求項５】　前記支脚器は、前記股受け部と踵受け部とに回転自在に取付けられ、かつ、互いに噛合する第１、第２のギアと、ハンドル操作によって伸長し前記踵受け部の先端側を押し上げるアクチュエータからなる伸長手段とから構成したことを特徴とする請求項２記載の産婦人科用分娩台。
　【請求項６】　前記支脚器開閉手段は、前記座部の裏面側に固定されたモータと、該モータの出力軸の回転を減速するギア列と、該ギア列の出力軸の回転運動を前記支脚器の開閉運動に変換し、かつ、前記支脚器を患者の股関節を中心として開閉するように構成された股アームとから構成したことを特徴とする請求項１
または
　【請求項７】　前記座部の前方を起伏させる座部起伏手段を設けたことを特徴とする請求項１
または
　【請求項８】　前記座部を上下方向に昇降させる昇降手段を設けたことを特徴とする請求項１
または
　【請求項９】　前記支脚器における前記股受け部内に取付けられグリップが出入自在に形成された怒責グリップを設けたことを特徴とする請求項２記載の産婦人科用分娩台。
　【請求項１０】　前記背凭れ部の上方背面側に回動自在に軸支され、不使用時には背凭れ部の側面に位置し、使用時には背凭れ部の上面側に回動できるようにした頭上怒責杆を設けたことを特徴とする請求項１
または
　【請求項１１】　前記座部の下面に位置し必要に応じて前記支脚器が前記支脚器開閉手段によって拡開
された位置
または
　【請求項１２】　前記怒責グリップは、略Ｕ字状に屈曲されたグリップと、該グリップの一端を前記股受け部の裏面においてガイドする軸受と、前記グリップの他端を股受け部の裏面において解除レバーの操作によってロックおよびフリーな状態とするロック手段とから構成したことを特徴とする請求項９記載の産婦人科用分娩台。
　【請求項１３】　前記頭上怒責杆は、略Ｕ字状に形成されたグリップと、該グリップの一端を前記背凭れ部の裏面において少なくとも９０度の回転位置の０度と９０度の位置でロックが可能なように２つの軸受けで軸支され、かつ、前記軸受けの間隔を調整可能な構成としたことを特徴とする請求項１０記載の産婦人科用分娩台。
【発明の詳細な説明】
　【０００１】
　【発明の属する技術分野】
　本発明は、産婦人科において検診や分娩を行う場合に、患者を寝かせた状態から検診や分娩の状態に移行させるようにした産婦人科用分娩台に関する。
　【０００２】
　【従来の技術】
　従来におけるこの種の産婦人科用分娩台は、股受けおよび踵受け（以下、単に支脚器という）が患者導入前から設置されているタイプと、患者導入後に看護婦等が設置するタイプとの２種類がある。
　【０００３】
　【発明が解決しようとする課題】
　ところで、前者のタイプにあっては、支脚器が患者導入前から設置しているために、支脚器の見た目に機械的で患者に恐怖感を与え、かつ、分娩台に横たわる際に支脚器が邪魔となり、行動が困難な産婦に苦痛を与えるので看護婦に介助してもらわなければならないといった問題があった。
　【０００４】
　また、後者のタイプにあっては、支脚器を患者導入後に看護婦が分娩毎に設置しなければならず、かつ、収納場所から運搬しなければならないため、非力な看護婦にとっては重労働であると共に手間がかかるといった問題があった。そのため、脱着タイプであるにも係わらず病院によっては支脚器を装着したままとなし、この場合は前者のタイプと同様な問題が生じた。
　【０００５】
　さらに、前記した両者にあっては、支脚器で患者の両足を固定させるため、足の自由度がなく、患者は苦痛を感じながら検診や分娩を行うこととなった。
　【０００６】
　本発明は前記した問題点を解決せんとするもので、その目的とするところは、患者導入時にはベッド状態となっているので、患者に恐怖感を与えることがないと共に、支脚器は分娩台内に組み込まれ患者導入後にベッドの一部が支脚器に変化するので、看護婦の労力を軽減することができる産婦人科用分娩台を提供せんとするにある。
　【０００７】
　また、仰臥位および半座位分娩において、変化した支脚器の踵受け部の平面は患者が足を自由に動かすことが可能な状態となっているので、分娩時の苦痛を軽減すると同時に、スムースな分娩が行える産婦人科用分娩台を提供せんとするにある。
　【０００８】
　さらに、患者の股関節を中心に股受け開脚角度を変えることができるので、分娩の進行状況に応じて介助者が微調整することにより、産道を確保し介助を行うことが容易な産婦人科用分娩台を提供せんとするにある。
　【０００９】
　また、出産時に患者が握って息張る時に使用する怒責グリップが分娩台内に組み込まれているので、患者の分娩台への移行時に邪魔になることがなく、かつ、必要に応じて引き出して怒責グリップとして使用させることができる産婦人科用分娩台を提供せんとするにある。
　【００１０】
　さらに、出産時における新生児を受けるための新生児受台を座部の裏面から引き出し自在とし、かつ、引出し量を自由に設定できると共にロックすることができるので、出産時の新生児を安全に取り扱うことができる産婦人科用分娩台を提供せんとするにある。
　【００１１】
　【課題を解決するための手段】
　本発明の産婦人科用分娩台は前記した目的を達成せんとするもので、請求項１の手段は、患者の腰部を受ける座部と、該座部に対して起伏する背凭れ部と、前記座部に対して水平状態と屈曲状態とに変位可能
であると共に長手方向に沿って２分割に形成され、かつ、前記屈曲状態において患者の踵部分を受ける踵受けを有する支脚器と、該支脚器
支脚器開閉手段
　【００１２】
　また、請求項２の手段は、患者の腰部を受ける座部と、該座部に対して起伏する背凭れ部と、前記座部
に対して水平状態と屈曲状態とに変位可能であると共に長手方向に沿って２分割に形成され、また、患者
前記屈曲状態において患者の踵部分を受ける踵受け部とを有し、また、
　【００１３】
　さらに、請求項４の手段は、前記支脚器は、前記股受け部と踵受け部とに回転自在に取付けられ、かつ、互いに噛合する第１、第２のギアと、踵受け部側のギアに常時噛合するストッパ用ギアと、該ストッパ用ギアと前記第２ギアとの噛合を解除させるための解除レバーと、前記股受け部の前記座部側に近接した位置に一端が軸支され、他端が前記踵受け側に近接した位置の基板に軸支されたリンクとから構成したものである。
　【００１４】
　また、請求項５の手段は、前記支脚器は、前記股受け部と踵受け部とに回転自在に取付けられ、かつ、互いに噛合する第１、第２のギアと、ハンドル操作によって伸長し前記踵受け部の先端側を押し上げるアクチュエータからなる伸長手段とから構成したものである。
　【００１５】
　さらに、請求項６の手段は、前記支脚器開閉手段は、前記座部の裏面側に固定されたモータと、該モータの出力軸の回転を減速するギア列と、該ギア列の出力軸の回転運動を前記支脚器の開閉運動に変換し、かつ、前記支脚器を患者の股関節を中心として開閉するように構成された股アームとから構成したものである。
　【００１６】
　さらに、請求項７の手段は、前記座部の前方を起伏させる座部起伏手段を設けたものであり、また、請求項８の手段は、前記座部を上下方向に昇降させる昇降手段を設けたものであり、さらに、請求項９の手段は、前記支脚器における前記股受け部内に取付けられグリップが出入自在に形成された怒責グリップを設けたものである。
　【００１７】
　さらに、請求項１０の手段は、前記背凭れ部の上方背面側に回動自在に軸支され、不使用時には背凭れ部の側面に位置し、使用時には背凭れ部の上面側に回動できるようにした頭上怒責杆を設けたものである。
　【００１８】
　また、請求項１１の手段は、前記座部の下面に位置し必要に応じて前記支脚器が前記支脚器開閉手段によって拡開
された位置
　【００１９】
　さらに、請求項１３の手段は、前記頭上怒責杆を、略Ｕ字状に形成されたグリップと、該グリップの一端を前記背凭れ部の裏面において少なくとも９０度の回転位置の０度と９０度の位置でロックが可能なように２つの軸受けで軸支され、かつ、前記軸受けの間隔を調整可能な構成としたものである。
　【００２０】
　【発明の実施の形態】
　次に、本発明に係る産婦人科用分娩台の第１の実施の形態を図１〜図１１と共に説明する。
　図１および図２は患者の導入前の水平状態と、患者の検診あるいは分娩中の状態を示すものである。
　図において、１は床面に設置される基台、２は該基台１に一端が取付けられ油圧等の駆動手段によって傾動する傾動部材、３は該傾動部材２の他端に取付けられた支持台にして、該支持台３に背凭れ４、座部５および支脚器６が取付けられている。
　【００２１】
　前記背凭れ４は支持台３に対して油圧シリンダ等のアクチュエータ（図示せず）によって座部５側を支点として起伏自在となっており、また、座部５も油圧シリンダ５１（図９、図１０に示す）によって背凭れ４側を支点として起伏自在に形成されている。なお、背凭れ４の両側には１８０度回転し、何れの位置（図１および図２の位置）でもロック可能なフェンス４１が取付けられている。
　【００２２】
　前記した支脚器６は左右２つに分離され、かつ、それぞれは股受け部６１と踵受け部６２とはくの字状に変形できるように構成されている。以下、股受け部６１と踵受け部６２とはくの字状に変形するための構成について図３〜図５と共に説明する。なお、同図においては、図１、図２に示すクッション材は示していないが符号としては同一符号で説明する。
　【００２３】
　股受け部６１は背凭れ４に近い側において補助部６１′が兆番等で折曲可能に連結され、該補助部６１′の裏面にはリンク６１ａの一端とスプリング６１ｂの一端が連結されている。また、股受け部６１の前記踵受け部６２に近接した側は金具６１ｃに回動自在に軸支され、かつ、該金具６１ｃに軸支された軸には第１ギア６１ｄが固定されている。なお、前記リンク６１ａの他端は後述する支脚器開閉手段８の一部である股アーム８３に固定された支持杆８３ａに軸支され、また、スプリング６１ｂの他端は前記金具６１ｃに取付けられている。
　【００２４】
　また、踵受け部６２は前記金具６１ｃに同じく軸支され、該軸支された軸には前記第１ギア６１ｄと噛合する第２ギア６２ａが固定されると共に、前記第２ギア６２ａと同軸で副ギア６２ｂが固定されている。踵受け部６２の裏面には前記副ギア６２ｂと噛合可能なストッパ用ギア６２ｃが偏心位置で軸支され、巻きバネ６２ｄによって常時前記した副ギア６２ｂと噛合するようにストッパ用ギア６２ｃに対してバネ付勢している。
　【００２５】
　また、踵受け部６２の先端裏面には解除レバー６２ｅが取付けられ、該解除レバー６２ｅの先端はワイヤー６２ｆを解して前記ストッパ用ギア６２ｃの偏心位置に連結されている。なお、６２ｇは解除レバー６２ｅを図３において右方向にバネ付勢するスプリングである。
　【００２６】
　次に、前記した構成に基づいて動作を説明する。
　図３、図４に示すように支脚器６が水平の状態（図１）の状態において、踵受け部６２側を押し上げると（時計方向に回動）、ストッパ用ギア６２ｃは副ギア６２ｂの外周を噛合された状態で周囲を回動するので、該副ギア６２ｂと同心軸の第１ギア６１ｄと噛合されている第２ギア６２ａが回転され、従って、股受け６１は反時計方向に回動されると共にリンク６１ａによって股受け部６１の座部５側押し上げられ、図５に示すように股受け部６１と踵受け部６２はＶ字状になって、患者の足は膝が上方に押し上げられ、かつ、踵側が下に折曲される。
　【００２７】
　なお、踵受け部６２の回動時において、スプリング６１ｂのバネ力によって股受け部６１が反時計方向にバネ付勢されているので、前記回動力は弱い力でも行うことができるので、看護婦等の非力な者でも容易にセットすることができる。
　【００２８】
　また、図５の状態における支脚器６を図３、図４のように水平状態にするには、解除レバー６２ｅをスプリング６２ｇおよび巻きバネ６２ｄのバネ力に抗して引くと（図において左方向）、ストッパ用ギア６２ｃは時計方向に回転されて副ギア６２ｂとの噛合が解除され、第１、第２ギア６１ｄ，６２ａとの回転が可能状態となって水平状態となる。
　【００２９】
　前記した股受け部６１の裏面には患者が分娩時の息張る時に握る怒責グリップ７が取付けられている。この怒責グリップ７の詳細を図６〜図８と共に説明する。怒責グリップ７は略Ｕ字状に折曲されたグリップ７１と、該グリップ７１の一端側７１ａを軸受けする基板８３ｂに取付けられた軸受７２と、前記グリップ７１の他端側７１ｂが挿入された前記基板８３ｂに取付けられた公知のメカニカルロック７３と、該メカニカルロック７３のロックと解除を行うための解除レバー７４とより構成されている。
　【００３０】
　前記解除レバー７４は、これを回転することにより、ワイヤー７４ａを介してメカニカルロック７３のロックが解除され、図示の位置に戻すとロックが行われるものである。すなわち、解除レバー７４を回転するとグリップ７１の他端側７１ｂのロックが解除されるので、グリップ７１の引き出しが行え、かつ、引き出した状態において解除レバー７４を戻すとロックが行われ引き出した状態に保持される。従って、図２の状態の分娩台において、患者はグリップ７１を握って息張ることができる。
　【００３１】
　前記した支脚器６は座部５の裏面に設置された支脚器開閉手段８によって、患者の股関節を中心に股開脚角度を変えることができるように構成されている。以下、この支脚器開閉手段８の詳細を図９〜図１１と共に説明する。なお、同図に示す支脚器開閉手段８は、一対の支脚器６における股受け部６１を開閉する構造のみを示している。また、座部５はクッション材は示していないが符号としては同一符号で示してある。
　【００３２】
　支脚器開閉手段８は支持台３に固定されたモータ８１と、該モータ８１の出力軸に固定されたギア８１ａと噛合し９０度方向転換するギア列（減速機を含む）８２と、該ギア列８２の出力軸８２ａに固定された股アーム８３とより構成されている。そして、モータ８１は水平方向に中心線（分娩台の長手方向における中心線）に対して約４５度傾き、また、ギア列８２の出力軸は水平線に対して下向きに４５度傾いて取付けられ、さらに、股アーム８３の形状は、該股アーム８３の先端に固定された基板８３ｂ上の股受け部６１が、患者の股関節を中心とした股開脚角度となるように設計されている。
　【００３３】
　すなわち、図９に示すように支脚器６を水平状態とした場合には、座部５と面一状態となり、かつ、図１０、図１１に示すように支脚器６を開放した場合には、患者の股関節を中心として股受け部６１が左右方向に回転するようになっている。
　【００３４】
　次に前記した構成に基づいて動作を説明する。
　図９に示す支脚器６が水平状態にある時にモータ８１に通電すると、該モータ８１の出力軸が回転してギア列８２を介して股アーム８３が図１０、図１１に示すように斜め上方に向かって変位する。すなわち、患者の股関節を中心として股受け部６１が移動することとなる。
　【００３５】
　そして、所望の開脚位置において、モータ８１への電源を遮断すると、股受け部６１はその位置で停止する。従って、モータ８１への通電を制御することにより、分娩の進行状況に応じて看護婦等の介助者が微調整することができるので、産道を確保し介助を行うことが容易となる。
　【００３６】
　次に、患者導入から検診あるいは分娩に至る動作について説明する。
　先ず、患者導入時には、図１および図９に示す背凭れ４、座部５および支脚器６は水平状態となっている。そして、ベッド状になっている本発明の分娩台に患者を寝かせ、フェンス４１を１８０度回転して患者がずれ落ちないようにセットする。
　【００３７】
　次いで、踵受け部６２の先端側を押し上げると第１、第２ギア６１ｄ，６２ａとが噛合されたまま回転するので、股受け部６１が反時計方向に回動され、患者の股は股受け部６１に支持され、かつ、踵部分は踵受け部６２に支持されてくの字状態となる。
　【００３８】
　この状態において、背凭れ４を図示しないシリンダーによって起立し、かつ、座部５を図示しないシリンダーによって支脚器側を押し上げると、患者は腰部分からくの字状に折曲され、かつ、膝部分からもくの字状に折曲されているので、検診あるいは分娩の待機状態となる。
　【００３９】
　次いで、モータ８１に通電し、左右一対の股アーム８３を産道を確保する位置まで開脚する。この場合、患者の股関節を中心として股受け部６１は移動されるので、患者に対して苦痛を与えるようなことはない。そして、怒責グリップ７の解除レバー７４を操作してロックを解除することにより、グリップ７１を引き出すことができるので、患者はこのグリップ７１を握って息張ることができる。
　【００４０】
　なお、診察や分娩が終了した場合には、前記した操作とは逆の操作を行うことにより、図１に示すベッド状態となるので、患者を移動させることができる。また、前記した実施の形態のものは、背凭れ４と座部５とがそれぞれ独立して起伏するものを示したが、背凭れ４と座部５とは一体的に構成したものであってもよく、さらに、背凭れ４は必ずしも起伏可能にする必要はないものである。
　【００４１】
　次に、図１２〜図１６に示す第２の実施の形態について説明する。
　この実施の形態と前記した実施の形態と異なる点は、前記支脚器６の構造を変更したことと、前記座部５の裏面側に新生児受台９を引き出し可能に取付けたことと、前記背凭れ４の裏面側にも頭上怒責杆１０を取付けたことである。
　【００４２】
　以下、第２の実施の形態における支脚器６の構造を図１３〜図１６と共に説明する。なお、前記した第１の実施の形態と同一符号は同一部分を示し、説明は省略する。
　この実施の形態においては、股アーム８３の先端に２本のガイドバー６３ａを有するガイド部材６３を取付け、前記ガイドバー６３ａに第１ギア６１ｄと第２ギア６２ａが取付けられた金具６１ｃをスライド自在に取付ける。前記金具６１ｃにはネジ孔が形成されており、このネジ孔に螺合するネジ棒６３ｂが前記ガイド部材６３に回転自在に軸支され、前記ネジ棒６３ｂの先端に回転ハンドル６３ｃが取付けられている。
　【００４３】
　また、前記ガイド部材６３にはガスシリンダやメカロック等のアクチュエータの先端に突出した突起６４ａを押圧することによりピストンが突出する伸長手段６４のシリンダ側が取付けられ、ピストン側は踵受け部６２の先端に固定された取付部材６２ｈに取付けられている。前記取付部材６２ｈには前記伸長手段６４の突起６４ａを押圧するためのレバー６４ｂが揺動自在に取付けられている。
　【００４４】
　このように構成した支脚器６にあっては、先ず、ハンドル６３ｃを回転すると、ネジ棒６３ｂが回転して金具６１ｃが図１３〜図１６において左右方向に移動するので、患者の足長さに応じた位置に支脚器６をセットする。次いで、レバー６４ｂを図１４において反時計方向に回動すると、該レバー６４ｂが伸長手段６４のピストン側が突出するので、踵受け部６２が図１５、図１６に示すように回動する。そして、踵受け部６２が回動することにより第１ギア６１ｄが回転することから、第２ギア６２ａが回転されて股受け部６１が回転し、従って、患者の足は膝が上方に押し上げられ、かつ、踵側が下に折曲された状態となる。なお、前記した伸長手段６４をギアモータや油圧シリンダに変更することにより、背凭れ４が起伏した後に伸長手段６４が連動して駆動して支脚器６が折曲されるようにすることも可能である。
　【００４５】
　次に、新生児受台９の構造を図１７〜図１９と共に説明する。
　９１は支持台３に基端が固定され座部５の裏面側に先端が突出したアーム、９２は前記先端には２本のガイドレール９２ａが両端に形成された基台、９３は該基台９２のガイドレール９２ａにガイドされるレール９３ａを有し、図において左右方向に移動自在な受台、９４は一端が前記基台９２に固定され他端が前記受台９３に固定され、かつ、押下摘み９４８が受台９３の前面から突出した無段階調整手段９４とから構成されている。
　【００４６】
　前記無段階調整手段９４は図１９に示す構造であり、本出願人が出願した椅子のヘッドレスト装置（実公平８−９１５号）において開示したものであり、以下、この無段階調整手段９４の構造について説明する。
　【００４７】
　９４１は前記基台９２に取付けられたガイドパイプで、該ガイドパイプ９４１内にはスライドパイプ９４２が挿入され、ガイドパイプに固定されたガイド片９４１ａ、スライドパイプ９４２に固定されたスライド片９４２ａによって、スライドパイプ９４２はガイドパイプ９４１に対してスライド自在となっている。なお、前記スライドパイプ９４２の先端は前記受台９３に固定されている。
　【００４８】
　前記ガイドパイプ９４１の下端に取付けられたブラケット９４１ｂには心棒９４３の一端が固定され、先端はスライド片９４２ａに形成された孔内に貫通されている。この心棒９４３にはクランプチェーン９４４が嵌合され、該クランプチェーン９４４は前記スライドパイプ９４２内に収容されると共に、一端はスライドパイプ９４２の凹部９４２ｂに支持され、また、他端はスライドパイプ９４２内に挿入された操作パイプ９４５と一体的に上下動するスライド片９４６の溝９４６ａ内に嵌合されている。
　【００４９】
　前記スライド片９４６は前記スライドパイプ９４２内を移動可能に嵌挿されると共に心棒９４３が挿通されたスライダ９４７に係合されており、該スライダ９４７が図１９において下方に移動することにより、スライド片９４２ａも移動して、クランプチェーン９４４を該クランプチェーン９４４が伸びる方向にバネ付勢している図示しないスプリングを圧縮する方向に移動させる。これにより、クランプチェーン９４４は心棒９４３より離れる方向に変位する。
　【００５０】
　前記操作パイプ９４５の上端には押下摘み９４８が取付けられ、この押下摘み９４８と前記スライドパイプ９４２の上端に固定されたスライド筒９４２ｃとの間にはスプリング９４９が配置されていて、その結果、操作パイプ９４５は上方にバネ付勢されている。
　【００５１】
　このように構成した無段階調整手段９４は、基台９２と受台９３とが重なった状態において押下摘み９４８を前記スプリング９４９のバネ力に抗して押すと、操作パイプ９４５が図１９において下降する。これにより、スライダ９４７が下方に移動してクランプチェーン９４４と心棒９４３とは離れ、従って、スライドパイプ９４２はガイドパイプ９４１に対して摺動自在となる。
　【００５２】
　これによって、基台９２に対して受台９３を引き出すことが可能となって、該受台９３を所望の位置まで引き出した後、前記押下摘み９４８を押圧力を解除することにより、前記動作とは逆の動作によってクランプチェーン９４４が心棒９４３に接触し、その接触力による摩擦によって受台９３は基台９２に対して固定状態となるものである。
　【００５３】
　次に、頭上怒責杆１０の構造を図２０〜図２４と共に説明する。
　１０１は背凭れ４の上方に回動された状態において患者が握るグリップ、１０２は背凭れ４の裏面に固定される軸受け部にして、前記グリップ１０１から連結部１０１ａを介して略直角に形成された回転軸１０１ｂを軸受けする。
　【００５４】
　この軸受け部１０２は円筒形状に形成され、外周面の長手方向に沿って長孔１０２ａが形成されると共に該長孔１０２ａと連通する２つの溝１０２ｂ，１０２ｃが端面に形成されている。なお、前記長孔１０２ａと２つの溝１０２ｂ，１０２ｃとは４５度の間隔で形成されている。また、前記回転軸１０１ｂにはガイドピン１０１ｃが突出され、このガイドピン１０１ｃは前記長孔１０２ａ内を移動でき、かつ、前記溝１０２ｂ，１０２ｃの何れかに選択的に係合されるようになっている。
　【００５５】
　また、前記回転軸１０１ｂにはガイドピン１０１ｃが突出され、このガイドピン１０１ｃは前記長孔１０２ａ内を移動でき、かつ、前記溝１０２ｂ，１０２ｃの何れかに選択的に係合されるようになっている。前記回転軸１０１ｂの前記軸受け部１０２から突出した先端と、前記軸受け部１０２との間にはスプリング１０３が配置され、回転軸１０１ｂをグリップ１０１が突出する方向（図２１において上方、図２２において下方）にバネ付勢している。なお、１０３ａはスプリング１０３のストッパーである。
　【００５６】
　このように構成した頭上怒責杆１０は、グリップ１０１が背凭れ４の背面側に位置している状態、すなわち、図２１、図２２に示すように回転軸１０１ｂのガイドピン１０１ｃが長孔１０２ａ内に移動しているので、グリップ１０１は背凭れ４の背面側に引き込まれた状態となっている。この状態において、グリップ１０１をスプリング１０３のバネ力に抗して背凭れ４の側面位置まで引き出すと、ガイドピン１０１ｃは長孔１０２ａから抜け出す。
　【００５７】
　この状態において、グリップ１０１を背凭れ４の上面側に回動してガイドピン１０１ｃを溝１０２ｂあるいは１０２ｃの何れかに係合することにより、グリップ１０１は背凭れ４の上面に位置した状態で固定される。すなわち、ガイドピン１０１ｃを溝１０２ｂの位置で係合することにより、図２０における中間位置（背凭れ４の裏面側に位置する状態から４５度回動された位置）となり、また、ガイドピン１０１ｃを溝１０２ｃの位置で係合することにより、図２０における起立位置（背凭れ４の裏面側に位置する状態から４５度回動された位置）となるものである。
　【００５８】
　なお、前記した実施の形態において回転軸１０１ｂを軸受け部１０２の前面で軸受けする場合について説明したが、図２３に示すように軸受け部１０２の１つが固定された軸受け１０４と、１つが軸受け部１０２に対して移動可能に形成された移動軸受け１０５とで軸受けするようにしてもよい。
　【００５９】
　すなわち、移動軸受け１０５は軸受け部１０２に対して移動可能な調整筒１０５ａの内周面に固定されていおり、該調整筒１０５ａの軸受け部１０２から突出している部分に形成された雄ネジ１０５ｂにナット１０６が螺合されている。従って、ナット１０６を緩めて調整筒１０５ａを軸受け部１０２内を移動させることにより、固定側の軸受け１０４と移動軸受け１０５との間隔を変化させることができる。
　【００６０】
　軸受け１０４と移動軸受け１０５との間隔を広くすることにより、回転軸１０１ｂのガイド部分が長くなるので、摩擦抵抗が小さくなり回転軸１０１ｂの軸受け部１０２に対する移動が容易となり、また、前記とは逆に軸受け１０４と移動軸受け１０５との間隔を狭めることにより、摩擦抵抗が大きくなり回転軸１０１ｂの軸受け部１０２に対する移動が困難となり、すなわち、みだりにグリップ１０１が回転するのを防止できるようになるものである。
　【００６１】
　なお、前記した第２の実施の形態において説明した新生児受台９および頭上怒責杆１０は、第１の実施の形態にも第２の実施の形態と同様に取付けることができるのは当然のことであり、敢えて説明は省略する。
　【００６２】
　【発明の効果】
　本発明は前記したように、背凭れ、座部および支脚器がベッドの状態となることから、患者の導入が容易に行えると共に、患者に対して従来のような恐怖感を与えることがなく、しかも、患者導入後に解除レバーを操作して支脚器の踵受け部を押し上げることにより患者の足部分を膝から折曲することができ、かつ、モータの駆動力によって患者の足を股関節を中心に開脚させることができるので、看護婦等の介助者の労力を軽減することができる。
　【００６３】
　また、前記座部をも起伏させることができ、さらに、全体を昇降させることができるので、患者の姿勢を検診や分娩に適した格好にすることができ、医師による診察や分娩の作業がし易くなる。また、常時は股受け部の裏面に収容され、あるいは、背凭れの裏面側に取付けされている怒責グリップを、必要に応じて引き出して患者が握ることができるようにしたので、患者が分娩時においてグリップを握って息張るのに便利なものである。
　【００６４】
　さらに、支脚器の開閉のみならず、支脚器の位置を患者の足の長さに合わせて移動することができるので、患者の足の長さに一致いた位置での膝からの折曲が行え患者に苦痛を与えることがなく、また、患者の足を開脚した状態において、該開脚いた位置に新生児受台を引き出し、かつ、所望の位置で固定できるので、出産した新生児を安全に取り出すことができる等の効果を有するものである。
【図面の簡単な説明】
　【図１】
　本発明に係る産婦人科用分娩台をベッド状態とした斜視図である。
　【図２】
　同上を検診または分娩状態に移行した状態の斜視図である。
　【図３】
　（ａ）は支脚器部分を水平状態とした側面図、（ｂ）は同上の一部拡大側面図である。
　【図４】
　同上の平面図である。
　【図５】
　図３の支脚器部分を折曲した状態の側面図である。
　【図６】
　（ａ）は怒責グリップにおけるグリップを収納した状態側面図、（ｂ）はグリップを引き出した状態の側面図である。
　【図７】
　同上の平面図である。
　【図８】
　使用状態の側面図である。
　【図９】
　支脚器開閉手段の閉脚状態の側面図である。
　【図１０】
　同上の開脚状態の側面図である。
　【図１１】
　同上の正面図である。
　【図１２】
　第２の実施の形態を示す全体の斜視図である。
　【図１３】
　第２の実施の形態における支脚器の側面図である。
　【図１４】
　同上の底面図である。
　【図１５】
　支脚器部分を折曲した状態の側面図である。
　【図１６】
　支脚器を移動し、かつ、折曲した状態の側面図である。
　【図１７】
　新生児受台の側面図である。
　【図１８】
　同上の平面図である。
　【図１９】
　新生児受台に使用される無段階調整手段の断面図である。
　【図２０】
　頭上怒責杆を取付けた背凭れ部分の側面図である。
　【図２１】
　軸受け部の斜視図である。
　【図２２】
　同上の軸受け部の断面図である。
　【図２３】
　同上の軸受け部の詳細な側面図である。
　【符号の説明】
　４　　　　背凭れ
　５　　　　座部
　６　　　　支脚器
　６１　　　股受け部
　６１ａ　　リンク
　６１ｄ　　第１ギア
　６２　　　踵受け部
　６２ａ　　第２ギア
　６２ｃ　　ストッパ用ギア
　６２ｄ　　解除レバー
　７　　　　怒責グリップ
　７１　　　グリップ
　７２　　　軸受
　７３　　　メカニカルロック
　７４　　　解除レバー
　８　　　　支脚器開閉手段
　８１　　　モータ
　８２　　　ギア列
　８３　　　股アーム
　９　　　　新生児受台
　９４　　　無段階調整手段
　１０　　　頭上怒責杆